(57)【特許請求の範囲】
【請求項１】
上層ネットワークエレメントは、それに所属する指定ネットワークエレメントへ指定サービスの複数の、指定ネットワークエレメントがタイムスタンプ情報よりデータバーストを送信するように、データバーストのデータパケットにタイムスタンプ情報をキャリーするデータバーストを送信し、
前記上層ネットワークエレメントは、前後で隣り合うデータバーストのタイムスタンプ間の差分を前記指定サービスの時分割多重周期の整数倍に設置し、前記時分割多重周期の長さが無線インターフェースシステムフレーム番号周期の整数倍分の一である
ことを含むスケジュール方法。
【請求項２】
前記隣り合うデータバーストのタイムスタンプ間の差分を無線インタフェースシステムフレーム番号周期の整数倍分の一に設置することをさらに含む
ことを特徴とする請求項１に記載の方法。
【請求項３】
前記上層ネットワークエレメントが前記複数のデータバーストを送信する前に、
予めに前記時分割多重周期を設置することをさらに含む
ことを特徴とする請求項１に記載の方法。
【請求項４】
前記予めに前記時分割多重周期を設置することは、
前記上層ネットワークエレメントは、前記指定サービスの時分割多重周期を配置し、配置された前記時分割多重周期を前記指定ネットワークエレメントに知らせる、或いは、
前記指定ネットワークエレメントは、前記指定サービスの時分割多重周期を配置して、配置された前記時分割多重周期を前記上層ネットワークエレメントに知らせる、或いは、
前記上層ネットワークエレメントは、全てのサービスの時分割多重周期を配置することを含む
ことを特徴とする請求項３に記載の方法。
【請求項５】
前記上層ネットワークエレメントが前記複数のデータバーストを送信した後に、
前記タイムスタンプ情報が現在の時分割多重周期のスタート時刻に対応すると、前記指定ネットワークエレメントは前記現在の時分割多重周期における利用可能な送信時間のスタート時刻から前記タイムスタンプ情報が対応するデータバーストを送信し、
前記タイムスタンプ情報が前記現在の時分割多重周期のスタート時刻に対応しないと、前記指定ネットワークエレメントは前記現在の時分割多重周期の次の時分割多重周期における利用可能な送信時間のスタート時刻から前記タイムスタンプ情報が対応するデータバーストを送信する、ことをさらに含む
ことを特徴とする請求項１に記載の方法。
【請求項６】
前記上層ネットワークエレメントが前記複数のデータバーストを送信した後に、
前記タイムスタンプ情報が現在の時分割多重周期の利用可能な送信時間のスタート時刻に対応すると、前記指定ネットワークエレメントは前記現在の時分割多重周期の利用可能な送信時間のスタート時刻から前記タイムスタント情報が対応するデータバーストを送信し、或いは、
前記タイムスタンプ情報が現在時分割多重周期の利用可能な送信時間のスタート時刻に対応しないと、前記指定ネットワークエレメントは前記現在の時分割多重周期の次の時分割多重周期の利用可能な送信時間のスタート時刻から前記タイムスタンプ情報が対応するデータバーストを送信することをさらに含む
ことを特徴とする請求項１に記載の方法。
【請求項７】
前記利用可能な送信時間は、データパケットを送信する無線インターフェース資源の時間段である
ことを特徴とする請求項５または６のいずれかの一つに記載の方法。
【請求項８】
前記データバーストは、１セットの同じタイムスタンプ情報を有するデータパケットである
ことを特徴とする請求項１に記載の方法。
【請求項９】
前記データバーストにおけるデータパケットは、データパケットのシリアルナンバーと累計データの長さをキャリーする
ことを特徴とする請求項１に記載の方法。
【請求項１０】
上層ネットワークエレメントは、それに所属する指定ネットワークエレメントへ指定サービスの複数の、前記指定ネットワークエレメントが前記タイムスタンプ情報から前記データバーストを送信するように、データバーストのデータパケットにタイムスタンプ情報をキャリーするデータバーストを送信し、
前記上層ネットワークエレメントは、前後で隣り合うデータバーストのタイムスタンプ間の差分を前記指定サービスの時分割多重周期の整数倍分の一に設置し、前記時分割多重周期の長さが無線インターフェースシステムフレーム番号周期の整数倍分の一である
ことを含むスケジュール方法。
【発明の詳細な説明】
【技術分野】
【０００１】
本発明は、通信分野に関し、特に同期スケジュール方法に関する。
【背景技術】
【０００２】
インターネットワークの発展に伴って、マルチメディアサービスが大量に現れ、人々が移動通信に対する需要は電話とメッセージサービスに満足しなくなる。現在、マルチメディアサービスに応用サービスが導入され、応用サービスは、複数のユーザーが同時に同じデータ、例えば、ビデオ・オン・デマンド、テレビ放送、テレビ会議、オンライン教育、インタラクティブゲームなどを受信することができることを特徴とする。
【０００３】
移動ネットワーク資源を有効に利用するために、マルチメディアブロードキャストマルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ、ＭＢＭＳと略称）技術が提案されている。ＭＢＭＳが１つのデータリソースから複数のユーザーへデータを送信するポイントツーマルチポイントサービスである。当該サービスより、移動コアネットワークとアクセスネットワークの資源共用、特にエアー・インターフェース資源の共用を含むネットワーク資源の共用を実現することができ、且つ３ＧＰＰにおけるＭＢＭＳがプレーンテキストの低いレートのメッセージ系のマルチキャストとブロードキャストを実現するだけではなく、高いレートのマルチメディアサービスのマルチキャストとブロードキャストを実現することができる。
【０００４】
ＭＢＭＳサービスが全体のネットに向かうサービスであるため、同一のＭＢＭＳサービスは、異なる下層ネットワークエレメントのノードに設定される可能性がある。図１は、従来の技術における複数のネットワークエレメントのＭＢＭＳサービスの同期処理方法のフローチャートであって、以下の処理を含む。
【０００５】
ステップＳ１０２において、上層ネットワークエレメントは、ＭＢＭＳデータパケットを各下層ネットワークエレメントに送信し、当該データパケットにはサービスデータを載せ、且つタイムスタンプ情報、データパケットシリアルナンバー情報、累計されたサービスデータ長さ情報などをキャリーして、上層ネットワークエレメントは１つまたは複数の連続なデータパケットに対して同じタイムスタンプ情報を標識し、これらの同じタイムスタンプを標記したデータパケットが１つのデータバースト（ｄａｔａ  ｂｕｒｓｔ）或いは称される同期シーケンス（ｓｙｎｃｈｒｏｎｉｚａｔｉｏｎ  Ｓｅｑｕｅｎｃｅ）を構成する。特に、上層ネットワークエレメントは各データパケットを１つのデータバーストまたは同期シーケンスに標識し、この場合、各データバーストまたは同期シーケンスには１つのデータパケットのみが含まれる。
【０００６】
ステップＳ１０４において、下層ネットワークエレメントは、同一のデータバーストにおけるデータパケットにキャリーされるサービスデータにＲＬＣ（Ｒａｄｉｏ  Ｌｉｎｋ  Ｃｏｎｔｒｏｌ：無線リンク制御）プロトコル層カスケード処理を行い、異なるデータバーストのデータパケットにＲＬＣカスケード処理を行わない。そして、１つのデータバーストのデータパケットにＲＬＣプロトコル層処理を行う場合、各データバーストの１つ目のデータパケットからＲＬＣプロトコル層のＲＬＣシリアルナンバーをリセット処理する。つまり、各データバーストの１つ目のデータパケットにおける１つ目のＲＬＣ  ＰＤＵ（プロトコルデータユニット）から、ＲＬＣシリアルナンバーをある予定或いは配置された固定値から割り当てる。このようにするとその利点は、上層ネットワークエレメントから下層ネットワークエレメントまでの伝送過程では、複数の連続しているデータパケットがロストされる場合、下層ネットワークエレメントは従来技術によってロストされたデータパケットがＲＬＣ処理時に占用したＲＬＣ  ＰＤＵの長さを判断することができなくて、データパケットをロストしたネットワークエレメントが他のネットワークエレメントと後続ＲＬＣ処理を一致に保持することができないという問題が解く。データバーストの最初からＲＬＣシリアルナンバーをリセットして上記問題を避けて、各データバーストの開始時に各ネットワークエレメントのＲＬＣシリアルナンバーが一致であることを保証する。
【０００７】
ステップＳ１０６において、下層ネットワークエレメントは、同一のデータバーストにおけるデータパケットがキャリーされるサービスデータに対して、その標識したタイムスタンプが対応する送信タイミングから無線インターフェイスでデータパケットを順次送信し、上層ネットワークエレメントから各下層ネットワークエレメントに送信された上記情報が全く同じであるので、各下層ネットワークエレメントは同じ処理を行うことができ、このように、ＭＢＭＳサービスは各下層ネットワークエレメントのセル間で同期送信することが実現する。
【０００８】
現在、下記の２つの方式で各データパケットのタイムスタンプ情報を設置することができる。
【０００９】
方式一：上層ネットワークエレメントがデータパケットを受信した時刻にタイムスタンプを標識し、ある特定の長さの時間間隔に受信したデータパケットに対して同じタイムスタンプを標識し、その中、特定の長さの時間間隔が同期シーケンス長さ（ｓｙｎｃｈｒｏｎｉｚａｔｉｏｎ  ｓｅｑｕｅｎｃｅ  ｌｅｎｇｔｈ）或いはスケジュール周期と称される。このような場合で、スケジュール周期の長さは、隣り合うデータバーストのタイムスタンプの間隔長さに等しい。
【００１０】
方式二：上層ネットワークエレメントは、下層ネットワークエレメントのＲＬＣプロトコル層処理を仮定し、ＲＬＣ処理を仮定する結果によって、ＲＬＣカスケード処理を必要するデータパケットに対して同じタイムスタンプを標識する。このような技術下で、スケジュール周期の長さは、隣り合うデータバースのタイムスタンプの最小値である。
【００１１】
上述した２つの方式によれば、タイムスタンプ情報はデータパケットが上層ネットワークエレメントに達する時間に依存するので、データパケットのタイムスタンプ間隔は、不確定である。上層ネットワークエレメントが受信したサービスデータフローは、サービスＱｏＳによって整形された後のデータフローであることをと仮定し、つまり、任意の１つの期間にサービスデータフローの帯域幅は、サービスＱｏＳパラメーターが定義した最大の帯域幅を超えなく、且つ無線インターフェースの上記時間段内でのチャンネルリソースはＱｏＳパラメーターと組み合うと仮定する。
【００１２】
ＭＢＭＳサービスは、時分割多重（Ｔｉｍｅ  Ｄｉｖｉｓｉｏｎ  Ｍｕｌｔｉｐｌｅｘ、ＴＤＭと略称）の方式を採用して無線インターフェースで送信することができる。ＴＤＭ配置は、以下のようなＴＤＭ周期、ＴＤＭずれとＴＤＭ繰り返し長さというパラメーターを含む。１つのサービスに利用可能なＴＤＭ資源は、（システムフレーム番号ＳＦＮをＴＴＩに含む１０ｍｓの無線フレームの個数で整除した結果）モジュラ演算（ＴＤＭ周期）＝ＴＤＭずれ＋ｉ、ｉ＝０、１、…、（ＴＤＭ周期−１）のように示すことができる。具体的には、１つのＭＢＭＳサービスは、その割り当てたＴＤＭ周期内に、第ＴＤＭずれのＴＴＩからのＴＤＭ繰り返し長さで連続する伝送時間間隔（ＴＴＩ）に送信し、ＴＤＭ繰り返し周期の最大値は９であり、ＭＢＭＳサービスに利用可能なＴＴＩの長さは４０或いは８０ｍｓである。サービスは、ＴＤＭ周期内に配置された利用可能な送信時間しかに無線インターフェースで送信できない。
【００１３】
ＴＤＭ方式を採用してデータを送信する場合、ＭＢＭＳサービスが無線インターフェースで送信タイミングは連続ではなく、ＴＤＭの配置によって周期的に循環して現れる。現在のスケジュール方法のため、タイムスタンプは不確定性を持ち、そのため、タイムスタンプ情報は直接に無線インターフェースの送信可能なＭＢＭＳサービスの開始時間に対応することができない、つまり、タイムスタンプと無線インターフェースの送信タイミング（利用可能な送信時間）は一一対応することができなく、例えば、図２に示すようなスケジュール周期とＴＤＭ周期がマチングしない。
【００１４】
図３は異なるスケジュール周期が対応する資源割当が一致しないことを示す図である。図３に示すように、ＴＤＭ配置方式では、その無線チャンネル資源が連続しないため、異なる位置にある同じ時間段内にその利用可能な無線資源が同じではなく、このような場合で、従来技術のスケジュールアルゴリズムは、誤った結果が生じる。従来技術のスケジュールアルゴリズムで仮定したある時間段に送信可能なデータパケットは無線インターフェースで送信されない可能性があってあふれ出る場合が生じる。このようにサービスデータがロストされることが生じてサービスの受信品質を深く壊すことになる。
【発明の概要】
【発明が解決しようとする課題】
【００１５】
そこで、本発明は、関連技術に存在する現在のスケジュール方法によってサービスデータがロストされることが生じてサービスの受信品質を深く壊す問題に鑑みてなされたものであり、上記問題本発明の目的とするところは、上記問題を解決するために、同期スケジュール方法を提供することにある。
【課題を解決するための手段】
【００１６】
上記課題を解決するために、本発明のある観点によれば、同期スケジュール方法は、上層ネットワークエレメントがそれに所属する指定ネットワークエレメントへ指定サービスの複数の、指定ネットワークエレメントがタイムスタンプ情報にからデータバーストを送信するように、データバーストのデータパケットにタイムスタンプ情報をキャリーするデータバーストを送信し、上層ネットワークエレメントは、前後で隣り合うデータバーストのタイムスタンプ情報間の差分を指定サービスの、長さが無線インターフェースシステムフレーム番号周期の整数倍分の一である時分割多重周期の整数倍に設置する。
【００１７】
また、上記課題を解決するために、本発明の別の観点によれば、同期スケジュール方法は、上層ネットワークエレメントは、それに所属する指定ネットワークエレメントへ指定サービスの複数の、指定ネットワークエレメントがタイムスタンプ情報からデータバーストを送信するように、データバーストのデータパケットにタイムスタンプ情報をキャリーするデータバーストを送信し、上層ネットワークエレメントは、前後で隣り合うデータバーストのタイムスタンプ情報間の差分を指定サービスの、長さが無線インターフェースシステムフレーム番号周期の整数倍分の一つである時分割多重周期の整数倍分の一に設置する。
【００１８】
本発明によれば、時分割多重周期に基づいてサービスのスケジュール周期を確定することでサービスデータを処理して、従来技術より、ＴＤＭ配置の場合で無線インターフェース資源が不連続的に分布するからの資源の分布が不均一になることを避けることができて、サービスデータバーストからあふれ出りが生じることを防止し、サービスデータのロストを避ける。
本願明細書は、例えば、以下の項目も提供する。
（項目１）
上層ネットワークエレメントは、それに所属する指定ネットワークエレメントへ指定サービスの複数の、指定ネットワークエレメントがタイムスタンプ情報よりデータバーストを送信するように、データバーストのデータパケットにタイムスタンプ情報をキャリーするデータバーストを送信し、
前記上層ネットワークエレメントは、前後で隣り合うデータバーストのタイムスタンプ情報間の差分を前記指定サービスの、長さが無線インターフェースシステムフレーム番号周期の整数倍分の一である時分割多重周期の整数倍に設置する
ことを含むスケジュール方法。
（項目２）
前記隣り合うデータバーストのタイムスタンプ間の差分を無線インタフェースシステムフレーム番号周期の整数倍分の一に設置することをさらに含む
ことを特徴とする項目１に記載の方法。
（項目３）
前記上層ネットワークエレメントが前記複数のデータバーストを送信する前に、
予めに前記時分割多重周期を設置することをさらに含む
ことを特徴とする項目１に記載の方法。
（項目４）
前記予めに前記時分割多重周期を設置することは、
前記上層ネットワークエレメントは、前記指定サービスの時分割多重周期を配置し、配置された前記時分割多重周期を前記指定ネットワークエレメントに知らせる、或いは、
前記指定ネットワークエレメントは、前記指定サービスの時分割多重周期を配置して、配置された前記時分割多重周期を前記上層ネットワークエレメントに知らせる、或いは、
前記上層ネットワークエレメントは、全てのサービスの時分割多重周期を配置することを含む
ことを特徴とする項目３に記載の方法。
（項目５）
前記上層ネットワークエレメントが前記複数のデータバーストを送信した後に、
前記タイムスタンプ情報が現在の時分割多重周期のスタート時刻に対応すると、前記指定ネットワークエレメントは前記現在の時分割多重周期における利用可能な送信時間のスタート時刻から前記タイムスタンプ情報が対応するデータバーストを送信し、
前記タイムスタンプ情報が前記現在の時分割多重周期のスタート時刻に対応しないと、前記指定ネットワークエレメントは前記現在の時分割多重周期の次の時分割多重周期における利用可能な送信時間のスタート時刻から前記タイムスタンプ情報が対応するデータバーストを送信する、ことをさらに含む
ことを特徴とする項目１に記載の方法。
（項目６）
前記上層ネットワークエレメントが前記複数のデータバーストを送信した後に、
前記タイムスタンプ情報が現在の時分割多重周期の利用可能な送信時間のスタート時刻に対応すると、前記指定ネットワークエレメントは前記現在の時分割多重周期の利用可能な送信時間のスタート時刻から前記タイムスタント情報が対応するデータバーストを送信し、或いは、
前記タイムスタンプ情報が現在時分割多重周期の利用可能な送信時間のスタート時刻に対応しないと、前記指定ネットワークエレメントは前記現在の時分割多重周期の次の時分割多重周期の利用可能な送信時間のスタート時刻から前記タイムスタンプ情報が対応するデータバーストを送信することをさらに含む
ことを特徴とする項目１に記載の方法。
（項目７）
前記利用可能な送信時間は、データパケットを送信する無線インターフェース資源の時間段である
ことを特徴とする項目４または５のいずれかの一つに記載の方法。
（項目８）
前記データバーストは、１セットの同じタイムスタンプ情報を有するデータパケットである
ことを特徴とする項目１に記載の方法。
（項目９）
前記データバーストにおけるデータパケットは、データパケットのシリアルナンバーと累計データの長さをキャリーする
ことを特徴とする項目１に記載の方法。
（項目１０）
上層ネットワークエレメントは、それに所属する指定ネットワークエレメントへ指定サービスの複数の、前記指定ネットワークエレメントが前記タイムスタンプ情報から前記データバーストを送信するように、データバーストのデータパケットにタイムスタンプ情報をキャリーするデータバーストを送信し、
前記上層ネットワークエレメントは、前後で隣り合うデータバーストのタイムスタンプ情報間の差分を前記指定サービスの、長さが無線インターフェースシステムフレーム番号周期の整数倍分の一である時分割多重周期の整数倍分の一に設置する
ことを含むスケジュール方法。
【図面の簡単な説明】
【００１９】
図面は本発明をさらに説明する用であり、本発明の一部を構成し、実施の形態と一緒に本発明を解釈する用であり、本発明に対する不当な限定ではない。
【図１】従来技術による複数のネットワークエレメントのＭＢＭＳサービスの同期処理方法のフローチャートである。
【図２】従来技術によるスケジュール周期とＴＤＭ周期がマチングしない実例を示す図である。
【図３】従来技術による異なるスケジュール周期が対応する資源割当は一致しない実例を示す図である。
【図４】本発明方法に係る実施例一における同期スケジュール方法のフローチャートである。
【図５】本発明による上層ネットワークエレメントと下層ネットワークエレメントの論理構造のブロック図である。
【図６】本発明に係る実施例におけるタイムスタンプのマッピング方式を示す図１である。
【図７】本発明に係る実施例におけるタイムスタンプのマッピング方式を示す図２である。
【図８】本発明に係る実施例におけるタイムスタンプのマッピング方式を示す図３である。
【図９】本発明に係る実施例におけるタイムスタンプのマッピング方式を示す図４である。
【発明を実施するための形態】
【００２０】
機能の概要
本発明の基本的な要旨としては、現在のＴＤＭ配置方式では、その無線チャンネル資源が連続しないため、異なる位置にある同じ時間段にその利用可能な無線資源が不確定になり、このような場合で、従来技術におけるスケジュールアルゴリズムは、誤った結果が生じる。これに基づいて、本発明は、サービスのスケジュール周期を時分割多重周期の整数倍に設置することで、時分割多重周期にタイムスタンプ情報によりデータバーストを送信する同期スケジュール方法を提供することにある。
【００２１】
以下、図面を参照して本発明を詳しく説明する。
【００２２】
方法の実施例１
本発明の実施例によって、同期スケジュール方法が提供される。
【００２３】
なお、説明の便宜上、後文でステップの形式で本発明の方法の実施例に係る技術的案を示して説明する。後文に示すステップは、例えば１セットのコンピュータで指令を実行可能なコンピュータシステムで実行されることができる。関連している図面に論理順序を示すが、ある場合では、ここと異なる順序で示された或いは説明されたステップを実行することができる。
【００２４】
図４は本発明の実施例による同期スケジュール方法のフローチャートである。図４に示すように、当該方法は、以下のステップ（ステップＳ４０２〜ステップＳ４０４）を含む。
【００２５】
ステップＳ４０２において、上層ネットワークエレメントは、それに所属する指定ネットワークエレメントへ指定サービスの複数の、１セットの同じタイムスタンプ情報を有するデータパケットであり、指定ネットワークエレメントが時分割多重周期内にタイムスタンプ情報からデータバーストを送信するように、データバーストのタイムスタンプ情報、データパケットのシリアルナンバーと累計データ長さをキャリーするデータバーストを送信する。
【００２６】
ステップＳ４０４において、上層ネットワークエレメントは、そのサービスデータに対するスケジュール周期を時分割多重周期の整数倍に設置して、前後で隣り合うデータバーストのタイムスタンプ情報間の差分を時分割多重周期の整数倍に設置し、隣り合うデータバーストのタイムスタンプ情報間の差分を無線インターフェースシステムフレーム番号周期の整数倍分の一に設置する。
【００２７】
現在、下記の２つの方式より各データパケットのタイムスタンプを設置することができる。
【００２８】
方式１：上層ネットワークエレメントがその受信したデータパケットの時刻によってタイムスタンプを標識し、同期シーケンス長さ（ｓｙｎｃｈｒｏｎｉｚａｔｉｏｎ  ｓｅｑｕｅｎｃｅ  ｌｅｎｇｔｈ）或いはスケジュール周期と称するある特定の長さの時間間隔に受信したデータパケットに対して同じタイムスタンプを標識する。このような場合で、スケジュール周期の長さは、隣り合うデータバーストのタイムスタンプの間隔長さに等しい。
【００２９】
方式２：上層ネットワークエレメントは、下層ネットワークエレメントのＲＬＣプロトコル層処理を仮定して、ＲＬＣ処理を仮定する結果によって、ＲＬＣカスケード処理を必要するデータパケットに対して同じタイムスタンプを標識する。このような技術の下で、スケジュール周期の長さは、隣り合うデータバースのタイムスタンプの最小値である。
【００３０】
その中、下記の５つの方式より予めに上記時分割多重周期（ＴＤＭ周期）を設置することができる。
【００３１】
方式１：上層ネットワークエレメントは、指定サービスの時分多重周期を配置し、配置された時分多重周期を指定ネットワークエレメントに知らせる。或いは、
方式２：指定ネットワークエレメントは、指定サービスの時分割多重周期を配置し、配置された時分割多重周期を上層ネットワークエレメントに知らせる。或いは、
方式３：上層ネットワークエレメントは、全てのサービスの時分割多重周期を配置し、配置された時分割多重周期を指定ネットワークエレメントに知らせる。或いは、
方式４：上層ネットワークエレメントと指定ネットワークエレメントは、全て配置されることよりサービスの時分割多重周期を取得する。或いは、
方式５：全てのＴＤＭ方式で無線インターフェースで送信されたサービスに対して、上層ネットワークエレメントは、１つのスケジュール周期を配置し、このスケジュール周期は、スケジュール周期が全てのサービスのＴＤＭ周期の整数倍であるという条件を満足する。
【００３２】
下層ネットワークエレメントは、受信したデータバーストをタイムスタンプ情報に従ってマッピングし、マッピングされたＴＤＭ周期から受信したデータバーストを送信し、１つのデータバーストは連続的に複数のＴＤＭ周期を占用することができる。具体的なマッピング方法は、下記の４つのうちのいずれかの一つを含むができる。
【００３３】
１：タイムスタンプ情報が現在の時分割多重周期のスタート時刻に対応すると、指定ネットワークエレメントは、現在の時分割多重周期の利用可能な送信時間のスタート時刻からタイムスタンプ情報が対応するデータバーストを送信する。
【００３４】
２：タイムスタンプ情報が現在の時分割多重周期のスタート時刻に対応しないと、指定ネットワークエレメントは、現在の時分割多重周期の次の時分割多重周期の利用可能な送信時間のスタート時刻からタイムスタンプ情報が対応するデータバーストを送信する。
【００３５】
３：タイムスタンプ情報が現在の時分割多重周期の利用可能送信時間のスタート時刻に対応すると、指定ネットワークエレメントは、現在の時分割多重周期の利用可能な送信時間のスタート時刻からタイムスタンプ情報が対応するデータバーストを送信する。
【００３６】
４：タイムスタンプ情報が時分割多重周期の利用可能送信時間のスタート時刻に対応しないと、指定ネットワークエレメントは、現在の時分割多重周期の次の時分割多重周期の利用可能な送信時間のスタート時刻からタイムスタンプ情報が対応するデータバーストを送信する。
【００３７】
その中、上述した利用可能な送信時間は、データパケットを送信する無線インターフェース資源の時間段である。
【００３８】
ＴＤＭ周期の長さがシステムフレーム番号ＳＦＮ周期の整数倍分の一ではないということよる本方法における伝送スケジュール周期内に無線資源の分布が均一ではなくなることを避けるために、サービスのＴＤＭ周期の長さはシステムフレーム番号（ＳＦＮ）周期の整数倍分の一に設置する必要がある。これは、現在のＭＢＭＳサービスのＴＤＭ周期の値が２〜９のうちの一つ、つまり２つのＴＴＩ〜９つのＴＴＩの長さであるからである。無線インターフェースのシステムフレーム番号（ＳＦＮ）の値は、４０９６個の１０ミリ秒である。ＴＴＩの長さは４つの１０ミリ秒であるとすると、１つのＳＦＮの周期に１０２４つのＴＴＩが含まれる。ＴＤＭ周期の値の範囲を考えて、ＴＤＭ周期に含まれるＴＴＩの個数が１０２４の整数倍分の一ではないと、１つのＳＦＮ周期に含まれるＴＤＭ周期の個数は、整数ではなく、つまり、１つのＳＦＮ周期の後部に一部のＴＤＭ周期しかない可能性があって、この部分の周期時間長さ内にサービスが利用可能な資源は、その他の周期と一致しないことになる。本発明の実施例におけるスケジュール方法において、上層ネットワークエレメントは下層ネットワークエレメントが割り当てる無線インターフェース資源は均一に分布すると仮定して、ＴＤＭ周期がＳＦＮ周期の長さの整数倍分の一ではない場合でこの仮定はならないので、ＴＤＭ周期の長さをＳＦＮ周期の整数倍分の一に設置する必要がある。
【００３９】
スケジュール周期の長さがシステムフレーム番号ＳＦＮ周期の整数倍分の一ではないことよる本方法における伝送スケジュール周期内に無線資源の分布が均一ではなくなることを避けるために、上層ネットワークは、スケジュール周期をシステムフレーム番号ＳＦＮ周期の整数倍分の一に設置する必要もある。理由は、ＴＤＭ周期をシステムフレーム番号ＳＦＮ周期の整数倍分の一に設置する必要があるのと同じである。
【００４０】
本発明の実施例による技術的案によれば、時分割多重周期に基づいてサービスのスケジュール周期を確定して、サービスデータを処理して、従来技術に比べ、ＴＤＭ配置の場合で無線インターフェース資源が不連続的に分布するので資源分布が均一ではなくなることを避けて、サービスデータバーストからあふれ出りが生じることを防止して、サービスデータのロストを避けることができる。
【００４１】
本発明の実施例を説明する前に、まず上層ネットワークエレメントと下層ネットワークエレメントを説明する。
【００４２】
上層ネットワークエレメントは、受信したＭＢＭＳデータパケットに対するスケジュールを完成し、具体的に、各データパケットに対してタイムスタンプ情報を標記し、同じタイムスタンプ情報を標記したデータパケットを１つのデータバースト或いは１つの同期シーケンスと称した後、タイムスタンプ情報、シリアルナンバーと累計データパケット長さを標記したデータパケットを当該上層ネットワークエレメントに所属する１つ或いは複数の下層ネットワークエレメントに送信する。
【００４３】
下層ネットワークエレメントは、上層ネットワークエレメントから送信された各データパケットを受信し、各データパケットのタイムスタンプ情報により１つのデータバーストを送信開始するスタート時刻を計算して、ＲＬＣプロトコル層処理時、同一のデータバーストのデータパケットをＲＬＣカスケード処理し、無線ネットワーク層のユーザ界面のプロトコルより処理されたデータパケットを無線インターフェースで送信する。
【００４４】
図５は、上層ネットワークエレメントと下層ネットワークエレメントの論理構造のブロック図である。図５に示すように、１つの上層ネットワークエレメントは、複数の下層ネットワークエレメントと接続して、シグナルの交互を行う。なお、１つの上層ネットワークエレメントとそれに所属する１つ或いは複数の下層ネットワークエレメントは、物理機能上で同じネットワークエレメントであってもよいし、異なるネットワークエレメントではなくてもよい。それを上層ネットワークエレメントと下層ネットワークエレメントに分けることはサービスの同期という機能を協力に完成するように論理的に分けることである。すなわち、若干の同じ或いは異なる物理ネットワークエレメントは、倫理的機能によって１つの上層ネットワークエレメントと若干の下層ネットワークエレメントに分かられ、これらのネットワークエレメントが共同に協力して、下層ネットワークエレメントのセル間、複数のセルが合併する方式で送信するＭＢＭＳサービスを実現する。
【００４５】
その中、上層ネットワークエレメントと下層ネットワークエレメントは、下記の組合せ方式であってもよいが、それに限られない。
【００４６】
組合せ１：ユニバーサル地上無線アクセスネットワーク（ＵＴＲＡＮ）システムにおけるＭＢＭＳサービス同期グループネットにおいて、上層ネットワークエレメントは、上層無線ネットワークコントローラー（Ｒａｄｉｏ  Ｎｅｔｗｏｒｋ  Ｃｏｎｔｒｏｌｌｅｒ、ＲＮＣと略称）であり、下層ネットワークエレメントは、下層ＲＮＣである。その中、上層ネットワークエレメントと下層ネットワークエレメントとの間のインターフェースは、Ｉｕｒインターフェースである。当該組合せでは、上層ネットワークエレメントと下層ネットワークエレメントは、物理機能が同じネットワークエレメントである。
【００４７】
組合せ２：強くされた高速パケットアクセスシステム（ＨＳＰＡ＋）におけるＭＢＭＳサービス同期グループネットにおいて、上層ネットワークエレメントは、ゲートウェイＧＰＲＳサポートノード（Ｇａｔｅｗａｙ  ＧＰＲＳ  Ｓｕｐｐｏｒｔ  Ｎｏｄｅ、ＧＧＳＮと略称）、サービスＧＰＲＳサポートノード（Ｓｅｒｖｉｎｇ  ＧＰＲＳ  Ｓｕｐｐｏｒｔ  Ｎｏｄｅ、ＳＧＳＮと略称）或いはブロードキャストマルチキャストサービスセンター（Ｂｒｏａｄｃａｓｔ  Ｍｕｌｔｉｃａｓｔ  Ｓｅｒｖｉｃｅ  Ｃｅｎｔｅｒ、ＢＭＳＣと略称）である。下層ネットワークエレメントは、ＲＮＣ或いはノード＋（ＮＢ＋）である。
【００４８】
組合せ３：長期進化型（Ｌｏｎｇ−Ｔｅｒｍ  Ｅｖｏｌｕｔｉｏｎ、ＬＴＥと略称）システムにおけるＭＢＭＳサービス同期グループネットにおいて、上層ネットワークエレメントは、マルチメディアブロードキャストマルチキャストサービスゲートウェイ（ＭＢＭＳ  Ｇａｔｅｗａｙ、ＭＧＷと略称）或いはマルチセル／キャストコーディネーションエンティティ（Ｍｕｌｔｉ−ｃｅｌｌ／ｍｕｌｔｉｃａｓｔ  Ｃｏｏｒｄｉｎａｔｉｏｎ  Ｅｎｔｉｔｙ、ＭＣＥと略称）であり、下層ネットワークエレメントは、進化型ノードＢ（Ｅ−ＵＴＲＡＮ  Ｎｏｄｅ  Ｂ）である。
【００４９】
実例
実施過程では、上層ネットワークエレメントは、まず、サービスのＴＤＭの配置情報を取得する必要があって、ＴＤＭの周期情報を含まなければならなく、好適に、ＴＤＭずれと繰り返し長さをさらに含んでもよく、その中、サービスの時分割多重周期の長さは、無線インターフェースシステムフレーム番号周期の整数倍分の一に配置される。
【００５０】
その中、上層ネットワークエレメントがサービスのＴＤＭ配置情報を取得する方式は、以下の４つの方式を含むことができる。
【００５１】
１、配置されることで、上層ネットワークエレメントは、あるサービスのＴＤＭ配置情報を配置し、下層ネットワークエレメントは、サービスのＴＤＭ配置情報を一致するように保持する。
【００５２】
２、上層ネットワークエレメントは、シグナルの方式であるサービスのＴＤＭ配置パラメーターを下層ネットワークエレメントに知らせ、下層ネットワークエレメントは、上層ネットワークエレメントが知らせたＴＤＭ配置パラメーターから資源を割り当てる。
【００５３】
３、下層ネットワークエレメントは、シグナルの方式で１つのサービスのＴＤＭ配置パラメーターを上層ネットワークエレメントに知らせる。
【００５４】
４、ＴＤＭ方式で無線インターフェースで送信された全てのＭＢＭＳサービスに対して、上層ネットワークエレメントは、スケジュール周期が全てのサービスのＴＤＭ周期の整数倍であるという条件を満足する１つのスケジュール周期を配置する。
【００５５】
上層ネットワークエレメントは、受信したデータパケットにタイムスタンプを標記し、同一のデータバーストのデータパケットに同じタイムスタンプを標識し、データバーストにおける各データパケットにデータパケットシリアルナンバーと累計データ長さ情報を標識し、ＴＤＭ配置情報からデータパケットに対してスケジュールを行い、そのスケジュール周期がＴＤＭ周期の整数倍であって、隣り合うタイムスタンプの時間間隔がＴＤＭ周期の整数倍になる。具体的なスケジュール方法は、以下のような方法であってもよいがこれに限られなく、隣り合うタイムスタンプの時間間隔がＴＤＭ周期の整数倍であるという条件を満足すれば、本発明の要求に合う。例えば、スケジュール方法は、上層ネットワークエレメントが受信したデータパケットの時間に基づいてスケジューリングして、当該サービスのＴＤＭ周期の整数倍分の時間間隔内に受信したデータパケットに１つのデータバースト（或いは１つの同期シーケンスと称する）を標識することであってもよい。スケジュール方法は、上層ネットワークエレメントがＴＤＭ周期に基づいてＴＤＭ周期の整数倍であるスケジュール周期を設置し、受信したデータパケットにＲＬＣカスケードを仮定して、ＲＬＣカスケードを仮定したデータパケットを同一のデータバースト或いは同期シーケンスに標識することであってもよい。
【００５６】
１つのサービスの各ＴＤＭ周期内に配置された資源が同じであるので、上層ネットワークエレメントは、１つのデータバーストが占用したＴＤＭ周期の個数に基づいて、対応する無線資源の大きさを正確に得ることができる。
【００５７】
上層ネットワークエレメントは、スケジュール周期に基づいてタイムスタンプ情報を標記したデータパケットを下層ネットワークエレメントに送信し、下層ネットワークエレメントは、データパケットに標識されたタイムスタンプ情報に基づいて、無線インターフェース資源にマッピングする。その中、具体的なタイムスタンプマッピング方式は、以下の４つの方式を含むことができる。
【００５８】
１、図６に示すようなタイムスタンプマッピング方式については、データバーストのタイムスタンプ情報がちょうど当該サービスの１つのＴＤＭ周期のスタート時刻に対応すると、下層ネットワークエレメントは、当該ＴＤＭ周期における当該サービスに割り当てられた資源から、当該データバーストのデータパケットを送信する。
【００５９】
２、図７に示すようなタイムスタンプマッピング方式については、データバーストのタイムスタンプ情報がちょうど当該サービスのあるＴＤＭ周期のスタート時刻に対応しないと、下層ネットワークエレメントは、次のＴＤＭ周期における当該サービスに割り当てられた資源から、当該データバーストのデータパケットを送信する。
【００６０】
３、図８に示すようなタイムスタンプマッピング方式については、データバーストのタイムスタンプ情報がちょうど当該サービスの１つのＴＤＭに割り当てられた資源のスタート時刻に対応する、つまり、タイムスタンプがちょうど当該サービスの１つのＴＤＭ周期内のずれに対応すると、下層ネットワークエレメントは、当該ＴＤＭ周期における当該サービスに割り当てられた資源から、当該データバーストのデータパケットを送信する。
【００６１】
４、図９に示すようなタイムスタンプマッピング方式については、データバーストのタイムスタンプ情報がちょうど当該サービスの１つのＴＤＭ周期内の割り当てられた資源のスタート時刻に対応しない、つまり、タイムスタンプが当該サービスの１つのＴＤＭ周期内のずれに等しないと、下層ネットワークエレメントは、次のＴＤＭ周期における当該サービスに割り当てられた資源から、当該データバーストのデータパケットを送信する。
【００６２】
隣り合うタイムスタンプの間隔はＴＤＭ周期の整数倍であるので、上述したマッピングにより、タイムスタンプとＴＤＭ周期は、一一にマッピングすることが実現できる。
【００６３】
方法の実施例２
本発明の実施例によって、同期スケジュール方法が提供される。
【００６４】
本発明の実施例による同期スケジュール方法は、上層ネットワークエレメントがそれに所属する指定ネットワークエレメントへ指定サービスの複数の、指定ネットワークエレメントが時分割多重周期にタイムスタンプ情報から複数のデータバーストを送信するように、各データバーストのデータパケットにタイムスタンプ情報をキャリーするデータバーストを送信し、上層ネットワークエレメントは前後で隣り合うデータバーストのタイムスタンプ情報間の差分を指定サービスの時分割多重周期の整数倍分の一に設置するとともに、サービスのＴＤＭ周期の長さをＳＦＮ周期の整数倍分の一に設置する。
【００６５】
その中、上層ネットワークエレメントは、以下の方式よりスケジュールを取得することができる。
【００６６】
１：管理配置より、ＧＧＳＮは、各ＭＢＭＳサービスのＴＤＭ配置パラメーターを取得し、上層ネットワークエレメントは、当該サービスに長さが当該サービスのＴＤＭ周期の整数倍分の一であるスケジュールを選択する。
【００６７】
２：下層ネットワークエレメントは、シグナルの方式で、各サービスのＴＤＭ配置を上層ネットワークエレメントに送信し、上層ネットワークは、当該サービスに長さが当該サービスのＴＤＭ周期の整数倍分の一のスケジュール周期を選択する。
【００６８】
３：上層ネットワークエレメントは、各サービスのＴＤＭパラメーターを割り当て、シグナルの方式で下層ネットワークエレメントに送信し、下層ネットワークエレメントは、シグナル指示によって、無線インターフェース資源を割り当て、当該サービスに長さが当該サービスのＴＤＭ周期の整数倍分の一であるスケジュール周期を選択する。
【００６９】
４：上層ネットワークエレメントは、全てのサービスに１つのスケジュール周期を配置し、当該スケジュール周期が全ての可能なＴＤＭ周期の整数倍分の一である。
【００７０】
上層ネットワークエレメントは、受信したサービスデータパケットをスケジュール周期に従ってスケジューリングし、データパケットにタイムスタンプ情報を標識し、データバーストを下層ネットワークエレメントに送信し、下層ネットワークエレメントは、データバーストのタイムスタンプをマッピングして複数の完全なデータバーストを同一のＴＤＭ周期にマッピングして、同一のＴＤＭ周期にマッピングされた複数のデータバーストを、そのタイムスタンプの順序に従って当該ＴＤＭ周期に順次送信する。具体的なマッピング方式は、下記の通りである。
【００７１】
１：データバーストのタイムスタンプ情報がちょうど当該サービスの１つのＴＤＭ周期のスタート時刻に対応すると、下層ネットワークエレメントは、当該データバーストを当該ＴＤＭ周期にマッピングする。
【００７２】
２：データバーストのタイムスタンプ情報がちょうど当該サービスのあるＴＤＭ周期のスタート時刻に対応しないと、下層ネットワークエレメントは、当該データバーストを当該ＴＤＭ周期にマッピングする。
【００７３】
３：データバーストのタイムスタンプ情報がちょうど当該サービスの１つのＴＤＭ内に割り当てられた資源のスタートに対応する、つまり、タイムスタンプが当該サービスの１つのＴＤＭ周期内のずれに対応すると、下層ネットワークエレメントは、当該データバーストを当該ＴＤＭ周期にマッピングする。
【００７４】
４：データバーストのタイムスタンプ情報がちょうど当該サービスの或るＴＤＭ周期内に割り当てられた資源のスタートに対応しない、つまり、タイムスタンプが当該サービスの１つのＴＤＭ周期内のずれに等しくないと、下層ネットワークエレメントは、当該データバーストを当該ＴＤＭ周期にマッピングする。
【００７５】
ＴＤＭ周期の長さがシステムフレーム番号ＳＦＮ周期の整数倍分の一でないということよる本方法における伝送スケジュール周期での無線資源の分布が均一ではなくなることを避けるために、サービスのＴＤＭ周期の長さをシステムフレーム番号（ＳＦＮ）周期の整数倍分の一に設置する必要がある。これは、現在のＭＢＭＳサービスのＴＤＭ周期の値が２〜９のうちの一つ、つまり２つのＴＴＩ〜９つのＴＴＩの長さであるからである。無線インターフェースのシステムフレーム番号（ＳＦＮ）の値は、４０９６個の１０ミリ秒である。ＴＴＩの長さは４つの１０ミリ秒であるとすると、１つのＳＦＮの周期に１０２４つのＴＴＩが含まれる。ＴＤＭ周期の値の範囲を考えて、ＴＤＭ周期に含まれるＴＴＩの個数が１０２４の整数倍分の一ではないと、１つのＳＦＮ周期に含まれるＴＤＭ周期の個数は、整数ではない、つまり、１つのＳＦＮ周期の後部に一部のＴＤＭ周期しかない可能性があって、この部分の周期時間長さ内に、サービスが利用可能な資源は、その他の周期と一致しないことになる。本発明の実施例におけるスケジュール方法において、上層ネットワークエレメントは、下層ネットワークエレメントが割り当てる無線インターフェース資源が均一に分布すると仮定した。ＴＤＭ周期がＳＦＮ周期の長さの整数倍分の一ではない場合でこの仮定はならないので、ＴＤＭ周期の長さをＳＦＮ周期の整数倍分の一に設置する必要がある。
【００７６】
本発明の方法によれば、スケジュール周期、或いは隣り合うデータバーストのタイムスタンプ間の間隔が時分割多重周期の長さの整数倍分の一であると、時分割多重周期がＳＦＮシステムフレーク番号の周期の整数倍分の一であるという条件を満足する場合で、スケジュール周期の長さは、必ずＳＦＮシステムフレーム番号の周期の整数倍分の一である。
【００７７】
本発明の実施例による技術的な案によれば、時分割多重周期に基づいてサービスのスケジュール周期を確定することでサービスデータを処理して、従来技術に比べ、ＴＤＭ配置の場合で無線インターフェース資源が不連続的に分布するので資源分布が均一ではなくなることを避けて、サービスデータバーストからあふれ出りが生じることを防止して、サービスデータのロストを避けることができる。
【００７８】
上述したように、本発明による同期処理方法によれば、上層ネットワークエレメントは、１つのサービスのＴＤＭ周期に基づいて当該サービスのデータパケットをスケジューリングしてタイムスタンプを標記して、隣り合うデータバーストのタイムスタンプの距離がＴＤＭ周期の整数倍であることを保証することができるとともに、サービスのＴＤＭ周期をＳＦＮ周期の整数倍分の一に設置することで１つのＳＦＮ周期内に当該サービスに割り当てられたＴＤＭ周期の個数が１つの整数値であることを保証して、スケジュール周期或いは隣り合うタイムスタンプの間隔とＴＤＭ周期が一致ないからのタイムスタンプが無線インターフェースの時間と一一にマッピングすることができなく、複数のデータバーストを同一のＴＤＭ周期にマッピングする必要があることを避けることができる。そして、各スケジュール周期に、当該サービスが無線インターフェースに配置された資源が同じであるため、このように上層ネットワークエレメントがスケジューリングしたデータバーストはその対応する無線インターフェース時間内に資源が一致しなくて、送信データがロストされたことを避けることができる。
【００７９】
明らかに、本分野の当業者は、上述した本発明の各モジュールまたは各ステップが汎用の計算装置で実現できるし、それらが単一の計算装置に集中しても良いし、或いは複数の計算装置からなるネットワークに配布してもよい。それらは計算装置が実行可能のプログラムのコードで実現することが好ましい。従ってそれらを記憶装置に記憶して計算装置より実行されて、或いは、そ別々の集積回路モジュールにそれぞれ製作され、或いは、それらの複数のモジュールやステップを独立の集積回路モジュールに製作されて実現できる。このように、本発明は、いかなる特定のハードウェアとソフトウェアの組み合わせることを制限ではない。
【００８０】
上述したものは、本発明の実施形態だけであるが、本発明を限定することに用いられるものではなく、本分野の当業者にとっては、様々な変更と変化を実施することができる。実質及び要旨を逸脱しない範囲で、本発明に対して行った様々の修正、等同切替、改良などは、本発明の特許請求の範囲に含まれると理解すべきである。
【図１】
0005357973.tif 000002
【図２】
0005357973.tif 000003
【図３】
0005357973.tif 000004
【図４】
0005357973.tif 000005
【図５】
0005357973.tif 000006
【図６】
0005357973.tif 000007
【図７】
0005357973.tif 000008
【図８】
0005357973.tif 000009
【図９】
0005357973.tif 000010